(57)【特許請求の範囲】
【請求項１】
２つの異なるタイプのメッシュワイヤ（１１、１２）、すなわち、一方では、ワイヤケーブルラックの全長に亘って長手方向に配置される長手方向ワイヤ（１１）と、他方では、前記長手方向ワイヤ（１１）に沿って互いに間隔を隔てて前記長手方向ワイヤ（１１）に適当に取り付けられるＵ形の横方向ワイヤ（１２）とを含むタイプのワイヤケーブルラックに局部的に固定されるようになっている固定アクセサリであって、この組み合わせは、トランクのような形態をなし、３つのパネル（１３、１４）、すなわち、底パネル（１３）および２つの側方パネル（１４）を全体的に形成しており、前記固定アクセサリ（１８）は、任意のパネル（１３、１４）に取り付けられるようになっており、かつ、一方では、前記固定アクセサリ（１８）を固定する前記パネル（１３、１４）に前記固定アクセサリ（１８）を取り付けるための取付け手段（２０、２１）を含み、他方では、前記固定アクセサリを貫通し、かつ、ケーブルタイ（１７）、ボルト（３６）等のような任意の種類の固定部材を受け入れるようになっている少なくとも１つの孔（２２、２３）を含む固定アクセサリにおいて、
一方のタイプのワイヤ（１１）は、他方のタイプのワイヤ（１２）の外側にあり、前記固定アクセサリ（１８）の取付け手段（２０、２１）は、一方では、前記固定アクセサリ（１８）の下面に配置され、かつ、少なくとも１つの外側のワイヤ（１１）に当接する第１取付け面（２０）を有し、他方では、前記第１取付け面（２０）に対して垂直に延び、かつ、前記固定アクセサリ（１８）の下面に配置された前記第１取付け面（２０）の方を向き、かつ、少なくとも２つの内側のワイヤ（１２）の下に係合される第２取付け面（２１）を有する、
ことを特徴とする固定アクセサリ。
【請求項２】
前記固定アクセサリ（１８）の下面に配置された前記第１取付け面（２０）は、前記固定アクセサリ（１８）の下面の中央の領域に凹状に形成された溝（２０Ａ）を含むことを特徴とする請求項１に記載の固定アクセサリ。
【請求項３】
前記固定アクセサリ（１８）の下面に配置された前記第１取付け面（２０）は、前記固定アクセサリ（１８）のそれぞれの対向縁部（２５）に沿って延びる２つの平行肩部（２０Ｂ）を含むことを特徴とする請求項１または２に記載の固定アクセサリ。
【請求項４】
前記第２取付け面（２１）は、前記固定アクセサリ（１８）の両方の縁部（２６）からそれぞれ突出する少なくとも２つのラグ（２１’、２１”）に分割されることを特徴とする請求項１〜３のいずれか１項に記載の固定アクセサリ。
【請求項５】
前記固定アクセサリ（１８）の１つの縁部（２６）のラグ（２１’）は弾性変形可能であり、かつ、その上面から突出する横方向のビード（２７）を有することを特徴とする請求項４に記載の固定アクセサリ。
【請求項６】
前記固定アクセサリ（１８）の前記縁部（２６）の各々には、２つの平行ラグ（２１’、２１”）が設けられることを特徴とする請求項４または５に記載の固定アクセサリ。
【請求項７】
前記固定アクセサリ（１８）の下面に配置された前記第１取付け面（２０）の前記溝（２０Ａ）は、前記第２取付け面（２１）が分割されたラグ（２１’、２１”）の間に配置されることを特徴とする請求項２に記載の固定アクセサリ。
【請求項８】
前記固定アクセサリ（１８）は、異なる種類の少なくとも２つの孔（２２、２３）、すなわち、少なくとも１つの丸孔（２２）、および、少なくとも１つの細長スロット（２３）を有することを特徴とする請求項１〜７のいずれか１項に記載の固定アクセサリ。
【請求項９】
前記固定アクセサリ（１８）は、全体として板の形態をなしていることを特徴とする請求項１〜８のいずれか１項に記載の固定アクセサリ。
【請求項１０】
前記固定アクセサリ（１８）の下面に配置された前記第１取付け面（２０）の前記２つの肩部（２０Ｂ）は、その長手方向縁部（２５）によって直接的に形成されることを特徴とする請求項４〜９のいずれか１項に記載の固定アクセサリ。
【請求項１１】
前記第２取付け面（２１）は、前記固定アクセサリ（１８）の両方の縁部（２６）からそれぞれ突出する少なくとも２つのラグ（２１’、２１”）に分割され、前記固定アクセサリ（１８）の前記第２取付け面（２１）が分割される２つの前記ラグ（２１’、２１”）は、前記固定アクセサリ（１８）の下面から突出するリブ（３０）の端部によって形成されることを特徴とする請求項５〜１０のいずれか１項に記載の固定アクセサリ。
【請求項１２】
前記固定アクセサリ（１８）は合成材料で作られることを特徴とする請求項１〜１１のいずれか１項に記載の固定アクセサリ。
【請求項１３】
ワイヤケーブルラックであって、前記ワイヤケーブルラックには、請求項１〜１２のいずれか１項に記載の固定アクセサリのうちの少なくとも１つが固定されることを特徴とするワイヤケーブルラック。
【請求項１４】
前記固定アクセサリ（１８）の厚さ（Ｅ１）は、前記ワイヤ（１１、１２）の厚さ（Ｅ２）に等しいか、あるいは、前記ワイヤ（１１、１２）の厚さ（Ｅ２）より小さいことを特徴とする請求項１３に記載のワイヤケーブルラック。
【請求項１５】
前記固定アクセサリ（１８）は、前記ワイヤ（１１、１２）のメッシュ（Ｍ）と同じ矩形の輪郭を有することを特徴とする請求項１３または１４に記載のワイヤケーブルラック。
【請求項１６】
前記固定アクセサリ（１８）は着脱可能であることを特徴とする請求項１３〜１５のいずれか１項に記載のワイヤケーブルラック。
【請求項１７】
前記ワイヤケーブルラックには、複数の固定アクセサリ（１８）が設けられ、これらの固定アクセサリのうちの幾つかは、その長手方向に沿って互いに間隔を隔てて整列して配置されることを特徴とする請求項１３〜１６のいずれか１項に記載のワイヤケーブルラック。
【請求項１８】
前記固定アクセサリ（１８）は、少なくとも１つのアングル鋼材（３２）を支持することを特徴とする請求項１７に記載のワイヤケーブルラック。
【発明の詳細な説明】
【０００１】
（技術分野）
本発明は、広くは、ワイヤケーブルラック（ワイヤケーブル架）に関する。
【０００２】
（背景技術）
当業界で良く知られたワイヤケーブルラックは、２つの異なるタイプのワイヤで構成されたメッシュを含み、すなわち一方では、ワイヤケーブルラックの全長に亘って長手方向に直線的またはほぼ直線的に配置され、一般に縦方向ワイヤと呼ばれる長手方向ワイヤと、他方では、該長手方向ワイヤに沿って互いに間隔を隔てて該長手方向ワイヤに適当に取り付けられ、一般に横方向ワイヤと呼ばれるＵ形横方向ワイヤとを有し、これらの全体的な組合せが、実際には、平面またはほぼ平面内にある３つのパネル、すなわち、底パネル、および、フランジと呼ばれる２つの側方パネルとを形成している。
【０００３】
これらのワイヤケーブルラックは、トランクのような態様で、電気ケーブル等を支持し、収容しかつ保護するのに日常的に使用されている。
ここで使用する表現「電気ケーブル」は、電気エネルギの搬送および分配のためのケーブルだけでなく、情報を電気的、光学的その他の方法で搬送するためのケーブルおよびファイバをも意味する。
このような電気ケーブルに関して、ワイヤケーブルラックは、特に、容易に設置でき、従って経済的で適応性に優れているという、電気設備業者が認識している多くの長所を有する。その理由は、ワイヤケーブルラックは、挿通性に優れた任意のメッシュを通して電気ケーブルを引き出すことができ、従って、電気ケーブルの識別が容易で、絶縁性に優れ、電気ケーブルおよび使用者の両者を清潔かつ安全に保ち、かつ、性能が優れていることにある。
【０００４】
しかしながら、１つのパネルへの電気ケーブルの現在行われている固定方法（この固定は、電気ケーブルを所定位置に保持するのに必要であり、実際には長手方向ワイヤの回りで横方向にループ掛けされるケーブルタイを使用して１つ以上の電気ケーブルを把持することにより行われている）は、全体として必ずしも満足できるものではない。
その１つの理由は、ワイヤが必然的に異なるレベルで交差し、長手方向ワイヤが実際に横方向ワイヤの外側に配置されることにある。
この結果、もし、ワイヤの剛性が不充分であるときには、電気ケーブルにも同じレベルの変化が生じてしまう。
従って、特に、比較的小径の電気ケーブルの場合には、電気ケーブルに、しばしば、波状の変形が生じる。
【０００５】
この波状変形は、しばしば、醜く見えることとは別に、電気ケーブルの可動寿命および／または品質の低下をも招く。
これは、特に、導電体の直径が十分の数ミリメートル以下の、データプロセス機器を相互接続するネットワークに適した内部細線を有する電気ケーブルの場合にいえることである。
【０００６】
また、電気ケーブルの性質および／または直径とは無関係に、電気ケーブルを所定位置に保持するケーブルタイは、該タイが巻き付けられた長手方向ワイヤに沿って不意に移動し、このため、最終的には、電気ケーブルの所定位置への保持が全体的に制御されなくなる。
本発明の全体的な目的は、上記の欠点を防止し、かつ、他の長所を有する構造を提供することにある。
【０００７】
（発明の開示）
より正確に説明すると、本発明は、第１に、２つの異なるタイプのメッシュワイヤを含み、すなわち、一方では、ワイヤケーブルラックの全長に亘って長手方向に配置される長手方向ワイヤと、他方では、該長手方向ワイヤに沿って互いに間隔を隔てて該長手方向ワイヤに適当に取り付けられるU形横方向ワイヤとを有し、トランクのような形態をなす全体的な組合せが３つのパネル、すなわち底パネルおよび２つの側方パネルを形成する種類のワイヤケーブルラックに関するものであって、このワイヤケーブルラックは、広くは、ワイヤケーブルラックの任意のパネルには、以下に固定アクセサリと呼ぶ少なくとも１つのアクセサリが局部的に設けられ、前記固定アクセサリは、一方では、固定アクセサリを嵌合によりパネルに取り付けるための取付け手段と、他方では、固定アクセサリを貫通しておりかつケーブルタイ、ボルト等の任意の種類の固定部材を受け入れることができる少なくとも１つの孔とを備えていることを特徴とする。本発明はまた、ワイヤケーブルラックに対応する別個の固定アクセサリに関する。
この態様で使用される本発明の固定アクセサリの第１の長所は、固定アクセサリが、設備業者が選択する任意の位置（この位置は、ワイヤ単独で得られる位置よりも広範囲である）に電気ケーブルを取り付けられることである。
【０００８】
本発明による固定アクセサリは、好ましくは、全体として板の形態をなし、従って電気ケーブルを取り付けるには有効な平面を形成する。
好ましくは、固定アクセサリは、大きくてもケーブルラックのワイヤの厚さに等しい厚さを有し、したがって、固定アクセサリが長手方向ワイヤ（より一般的には外側ワイヤ）のうちの１つに跨るか、横方向ワイヤ（より一般的には内側ワイヤ）と協働して形成するメッシュのうちの１つの内に挿入されるかに係わらず、内側ワイヤとのレベルの変化は存在しない状態で、固定アクセサリの自由面は、外側ワイヤから最大距離にある内側ワイヤの母線と同じレベルにある。
従って、電気ケーブルの連続支持部間の波状変形が有効に防止される。
【０００９】
また、好ましくは、本発明の固定アクセサリは、その取付け手段を構成する十字形構造をなす、一方では少なくとも１つの外側ワイヤに当接する取付け面（便宜上、ここでは第１取付け面と呼ぶ）と、他方では該第１取付け面の方を向きかつ少なくとも２つの内側ワイヤの下に係合する取付け面（便宜上、ここでは第２取付け面と呼ぶ）とを備えている。
従って、本発明の固定アクセサリは、ワイヤケーブルラックに簡単にクリップ止めされ、他のいかなる補助固定手段または用具を用いることなく、ケーブルラックのワイヤを自力で把持できる。
本発明の固定アクセサリはまた、便利であり、着脱可能であって、必要に応じて、取付けおよび取外しができる。
【００１０】
本発明の固定アクセサリは、そして、該固定アクセサリを通して固定アクセサリが受け入れる固定部材は、固定アクセサリを横方向および長手方向に嵌着するワイヤケーブルラックの所定位置に有効にロックされる。
特に、本発明の固定アクセサリにより、電気ケーブルを所定位置に保持するのに使用されるケーブルタイはワイヤケーブルラックの所定位置に長手方向に確実にロックされるので、電気ケーブルの所定位置での良く制御された長期間保持ができるという利益が得られる。
【００１１】
しかしながら、ケーブルタイを使用するこの方法で得られる長所に加え、本発明の固定アクセサリは他の長所を有する。
特に、本発明の固定アクセサリは、２つの別体のアングル鋼材を、互いに平行になるようにしてワイヤケーブルラックに取り付けてワイヤケーブルラックに独立した隔室（コンパートメント）を形成することができ、この隔室（コンパートメント）は、特殊な電気ケーブル、特に金属シールドで保護すべきケーブルを収容するのに使用され、また蓋により適当に閉じることができる。
また、本発明の固定アクセサリは、組立体を吊り下げるサスペンション部材、または組立体を支持するブラケットに使用することもできる。
可能性ある他の用途として、ワイヤケーブルラックの下に軽量金具を取り付けるのに使用することもできる。これにより、特にコーナ、Ｔ継手、十字継手または他の交差部でケーブルを引っ張るのに要求される力を最小にすることにより、ケーブルを所定位置に固定する前にケーブルの取付けを容易にする方向転換可能なローラシステムの設置を容易にすることができる。
【００１２】
（発明を実施するための最良の形態）
本発明の特徴および長所は、添付図面に関連して述べる以下の説明から明らかになるであろう。
図示のように、本発明の全体的な目的は、ワイヤケーブルラック（ワイヤケーブル架）１０を設置することである。
【００１３】
当業界で良く知られているように、ワイヤケーブルラック１０は、異なる２タイプのメッシュワイヤ１１、１２を含み、すなわち、一方では、ワイヤケーブルラック１０の全長に沿って直線的またはほぼ直線的に配置される長手方向ワイヤ１１と、他方では、長手方向ワイヤ１１に沿って規則的ピッチＰを隔てて長手方向ワイヤ１１に適当に取り付けられるＵ形横方向ワイヤ１２とを含み、これらのワイヤ１１、１２の組合せにより、トランクのような形態で、３つのパネル１３、１４すなわち底パネル１３と、２つの側方パネル１４が形成される。
【００１４】
実際には、ワイヤ１１、１２は金属ワイヤデアリ、より正確には鋼ワイヤであり、それらが交差するときに互いに溶接される。
設計は、両ワイヤ１１、１２が異なるレベルで交差するようなものである。
実際には、長手方向ワイヤが低いレベルに位置し、横方向ワイヤ１２が高いレベルに位置する。
換言すれば、長手方向ワイヤ１１は、横方向ワイヤ１２の外側に配置される。
図示の実施形態では、全てのワイヤ１１、１２は丸ワイヤである。
換言すれば、全てのワイヤは円形断面を有している。
例えば、図示するように、これらのワイヤは全て同じ直径を有するが、場合によっては、必ずしも、すべてのワイヤを同じ直径にする必要はない。
【００１５】
図示の実施形態では、底パネル１３は３つの長手方向ワイヤ１１、すなわち中央長手方向ワイヤ１１と、該中央ワイヤ１１から等距離を隔てた２つの側方長手方向ワイヤ１１とからなる。これらの長手方向ワイヤ１１は、対応する横方向ワイヤ１２と協働して、各ピッチＰで互いに並んだ２つのメッシュＭを形成し、これらのメッシュMは同じサイズでありかつ矩形の形状を有する。
しかしながら、前述のように、底パネル１３における長手方向ワイヤ１１の数、従ってこれらの長手方向ワイヤ１１が各ピッチＰで形成するメッシュＭの数は変えることができる。
【００１６】
図示の実施形態では、各側方パネル１４は、２つだけの長手方向ワイヤ１１、すなわち、中間の高さに配置される中間の長手方向ワイヤ１１と、縁の長手方向ワイヤ１１とからなる。
しかしながら、前述のように、長手方向ワイヤ１１の数は変えることができる。
特に、底パネル１３と同様に、側方パネル１４は、底パネル１３のメッシュＭと同じサイズのメッシュ、または、異なるサイズのメッシュを形成することができる。
図示の実施形態では、側方パネル１４の縁長手方向ワイヤ１１は、該ワイヤが横方向ワイヤ１２と交差するピッチＰの間隔を隔てた位置に湾曲部１５を有するが、場合によっては、必ずしも、そうする必要はない。
図１に示すように、ワイヤケーブルラック１０は、電気ケーブル１６および該電気ケーブル１６を所定位置に保持するのに使用される固定部材（図示の例ではケーブルタイ１７）を支持し、収容しかつ保護するようになっている。
【００１７】
図示の実施形態では、電気ケーブル１６は底パネル１３に沿って配置される。
本発明によれば、ワイヤケーブルラック１０の任意のパネル１３、１４（図示の実施形態では底パネル１３）には少なくとも１つのアクセサリ１８（ここでは固定アクセサリと呼ぶ）が局部的に設けられる。この固定アクセサリ１８は、より詳細に後述するように、一方では取付け手段２０、２１を有し、該取付け手段により固定アクセサリ１８がパネル１３、１４（この例では底パネル１３）に固定される。また、固定アクセサリ１８は、他方では、該固定アクセサリを貫通する少なくとも１つの孔２２、２３を有し、該孔任意の種類の固定部材を受け入れるようになっており、孔２３の場合には、ケーブルタイ１７を受け入れることができる。
【００１８】
もちろん、ワイヤケーブルラック１０に複数の固定アクセサリ１８を設けることができ、少なくともいくつかの固定アクセサリは、その長さ方向に沿って整列され、かつ、間隔を隔てて配置される。
従って、図１は、この実施形態において、２つの固定アクセサリ１８が底パネル１３の中央で互いに整列して配置された例を示すものである。
使用される全ての固定アクセサリ１８は、互いに同じものであるのが好ましい。
従って、ここでは、固定アクセサリ１８のうちの１つについてのみ説明する。
【００１９】
図示の実施形態では、固定アクセサリ１８は全体として板状の形状を有し、かつ、ワイヤ１１、１２のメッシュＭと同様な矩形の輪郭を有する。
固定アクセサリ１８の取付け手段２０、２１を構成するため、本発明による固定アクセサリ１８は、図示の実施形態の十字形構造（cruciform arrangement）では、一方では、少なくとも１つの外側ワイヤ（この例では長手方向ワイヤ１１）に当接する第１取付け面２０を有し、他方では、第１取付け面２０の方向を向き、かつ、少なくとも２つの内側ワイヤ（この例では２つの横方向ワイヤ１２）の下に係合する第２取付け面２１を有している。
【００２０】
図１〜図７に示す実施形態では、本発明による固定アクセサリ１８は長手方向ワイヤ１１に跨るものであり、固定アクセサリ１８の各半部は、ワイヤ間のメッシュMのうちの１つに配置される。
従って、固定アクセサリ１８の第１取付け面２０は、その下面においてその長手方向縁部２５に沿って凹状に形成された溝２０Ａを有している。
しかしながら、図８に示す実施形態では、本発明の固定アクセサリ１８はメッシュＭを完全に塞ぐように構成されている。
従って、固定アクセサリ１８の第１取付け面２０は、それぞれの対向縁部２５（図示の例ではその長手方向縁部）に沿って延びた２つの平行肩部２０Ｂを有している。
【００２１】
図示の実施形態では、第１取付け面２０のこれらの２つの肩部２０Bは、実際には、固定アクセサリ１８の長手方向縁部２５により直接的に形成されており、該縁部２５の下面により一層正確に形成される。
図示の実施形態では、本発明による固定アクセサリ１８の第２取付け面２１は、少なくとも２つのラグ２１′、２１″に分割されており、これらのラグはそれぞれの対向縁部（図示の例では横方向縁部）から突出している。
着目する一方の縁部２６のラグ２１′は弾性変形できかつその上面からは横方向ビード２７が突出している。
好ましくは、ビード２７は非対称な側面２８、２９を有し、外向きの側面２８の方が、内向きの側面より急勾配である。
例えば、図示のように、外向きの側面２８は直立している。
本発明の固定アクセサリ１８の着目する他方の縁部２６のラグ２１″は、必要に応じて比較的剛性を大きくすることができる。
【００２２】
図示の実施形態では、本発明の固定アクセサリ１８の各縁部２６（すなわち固定アクセサリの各横方向縁部）には、２つの平行ラグ２１′、２１″が設けられている。
したがって、第１取付け面２０の一部である溝２０Ａは、これらの両ラグの間に位置し、かくして、第２取付け面２１は両ラグ２１′、２１″として分割される。
図示の実施形態では、ラグ２１′、２１″は、本発明の固定アクセサリの下面から突出したリブ３０の端部により形成されている。
例えば、リブ３０は本発明の固定アクセサリ１８の全長に亘って延びており、かつ、固定アクセサリの各端部から長手方向に突出している。
第１取付け面２０の一部である溝２０Ａが両リブ３０の間に形成されている。
【００２３】
図示の実施形態では、各リブ３０には、組立体の重量を軽減させるために、開口３１が形成されている。
上記説明から当然のことであるが、本発明の固定アクセサリ１８の幅は、ワイヤ１１、１２からなるメッシュＭの幅より僅かに大きく、かつその長手方向縁部２５に平行に測定した長さは、メッシュＭの長さより僅かに小さい。
ワイヤ１１、１２のメッシュMの幅および長さは、これに対応する同じタイプの隣接するワイヤ１１、１２の軸線間の距離であると理解すべきである。
【００２４】
図示の実施形態では、本発明の固定アクセサリアクセサリ１８は、異なるタイプの少なくとも２つの孔２２、２３、すなわち、少なくとも１つの丸孔２２および少なくとも１つの細長スロット２３を有している。
好ましくは、複数の孔２２および複数のスロット２３が設けられる。
例えば、種々の孔２２およびスロット２３が、長手方向縁部２５に平行な列として配置される。
図示の実施形態では、５つのこのような孔２２およびスロット２３の列が設けられている。
【００２５】
図示のように、例えば、本発明の固定アクセサリ１８の中心線に沿って延びる中心の列は、その中央の領域の２つの孔２２および各端部のスロット２３を有している。
また、図示のように、例えば中間の列は、これらの列の中央の領域の３つのスロット２３および各端部の孔２２を有している。
更に、図示のように、例えば、側方の列はスロット２３のみを有している。
実際には、全てのスロット２３は、長手方向縁部２５に対して平行な細長いスロットである。
【００２６】
図示の実施形態では、側方の列のスロット２３は、肩部２０Bを形成するため、リブ３０の少なくとも一部を侵食している。
このように構成された本発明の固定アクセサリ１８は、例えば合成材料で作ることができる。
固定アクセサリ１８は、例えば、以下に示す方法で装着される。
最初に、図７に破線で概略的に示すように、固定アクセサリ１８を傾けて、そのラグ２１を横方向ワイヤ１２の下に入れ、ラグがワイヤと接触したならば、図７に矢印Ｆ１で示すようにパネル１３、１４の平面内に揺動させて、取り付けられるようにする。
固定アクセサリ１８は、次に、反対側の横方向ワイヤ１２に妨げられることなく、ラグ２１″を該横方向ワイヤ１２を通過させて移動できるように設計されている。
【００２７】
この揺動運動の終りのとき、図１〜図７に示すように、延長部（extension）の固定アクセサリ１８が、そのラグ２１′、２１″が長手方向ワイヤ１１の両側に配置されるようにして該長手方向ワイヤを跨ると、固定アクセサリの溝２０Ａの底部が長手方向ワイヤ１１に当接して該長手方向ワイヤ上に載り（図２および図３参照）、固定アクセサリの各半部は、それに関連するパネル１３、１４の２つのメッシュの一方に配置される。
これとは異なり、図８に示すように本発明の固定アクセサリ１８が２つの長手方向ワイヤ１１間に配置される場合には、揺動運動の終りのときに、固定アクセサリの肩部２０Ｂがワイヤに当接して該ワイヤ上に載り、それに関連するパネル１３、１４のメッシュの少なくとも一部（実際には、大部分）をカバーする。
【００２８】
いずれの場合でも、残された作業は、固定アクセサリが反対側の横方向ワイヤ１２に当接して、そのラグ２１″が該ワイヤ１２を捕捉するまで、固定アクセサリを、関連する長手方向ワイヤ（単一または複数）１１に沿って図７に矢印Ｆ２で示す方向に摺動させることだけである。
この摺動のときに、ラグ２１′のビード２７が弾性的に変形して他方の横方向ワイヤ１２を通過する。これにより、ワイヤケーブルラック１０に対する組立体の解放可能なロックが有効に確保される。
しかしながら、本発明の固定アクセサリ１８は、上記の作業と逆の作業により取り外すことができ、従って、本発明のアクセサリは有効に着脱可能である。
【００２９】
本発明の固定アクセサリ１８は、図示のように、板の位置で測定した厚さE1が、大きくてもワイヤケーブルラック１０のワイヤ１１，１２の厚さＥ２（この厚さＥ２は、実際にはワイヤの直径である）に等しくなるように設計するのが好ましい。
従って、本発明の固定アクセサリ１８は、内側ワイヤ１１，１２と同じレベル、すなわち、図示の実施形態の横方向ワイヤ１２と同じレベルに配置される。
電気ケーブル１６の固定に要求されることは、この種の固定アクセサリ１８をケーブルに沿って、所々に取り付けることだけである。
電気ケーブル１６を所定位置に保持するのに残されたことは、固定アクセサリ１８のスロット２３に通される１つ以上のケーブルタイ１７を用いて、電気ケーブル１６を各固定アクセサリ１８にクランプすることだけである。
【００３０】
１つの固定アクセサリ１８を使用する図９の適用では、図示のように、アクセサリ１８は少なくとも１つのアングル鋼材３２を協働的に支持している。
図示のように、アクセサリ１８は、互いに向かい合いかつ協働して隔室３３（該隔室はワイヤケーブルラック１０内にありかつ該ワイヤケーブルラックの長手方向に沿って形成される）を形成する２つの平行なアングル鋼材３２を協働的に支持するのが好ましい。
図示の実施形態では、各アングル鋼材３２は、規則的に間隔を隔てて配置された長手方向の細長スロット３５が設けられた固定フランジ３４を有し、細長スロット３５には、固定部材（この例ではボルト３６）が通される。
また、各アングル鋼材３２は自由フランジ３７を有し、この実施形態では該自由フランジには、いかなる孔も設けられていない。
【００３１】
必要に応じて、アングル鋼材３２を、シールド効果を得るために、金属で作ることができる。
アングル鋼材３２をワイヤケーブルラック１０に取り付けるには、固定アクセサリ１８の孔２２を使用して、アングル鋼材を、ボルト３６により、本発明に従ってワイヤケーブルラック１０に取り付けられた固定アクセサリ１８に取り付ける。
図示のように、スロット３５の長さは、ボルト３６が存在しても、固定アクセサリ１８の関連する孔２２に直接隣接するスロット２３へのアクセスが充分に行える長さであるのが好ましい。
【００３２】
もちろん、本発明は図示の実施形態および／または適用に限定されるものではなく、特に、本発明による固定アクセサリに設けられる孔の性質および／または配置および／または個数に関して種々の変更が可能である。
また、本発明の固定アクセサリは、ワイヤケーブルラックの底パネルに取り付けるだけではなく、いずれか一方の側方パネルに取り付けることもできる。
【図面の簡単な説明】
【図１】  本発明による固定アクセサリが設けられたワイヤケーブルラックを示す斜視図である。
【図２】  図１にIIで示す部分の拡大詳細図である。
【図３】  図２のIII−III線における本発明のブランチアクセサリの断面図である。
【図４】  図２のIV−IV線における同じ固定アクセサリの断面図である。
【図５】  本発明の固定アクセサリのみを示す、図２と同様な斜視図である。
【図６】  図５の矢印VIの方向から見た本発明の固定アクセサリを示す底面図である。
【図７】  本発明の固定アクセサリをワイヤケーブルラックに嵌着する方法を示す図３と同様な長手方向断面図である。
【図８】  本発明の固定アクセサリの他の配置例を示す図２と同様な斜視図である。
【図９】  固定アクセサリの他の適用を示す、一部を破断した図２と同様な斜視図である。
【図１】
0004116242.tif 000002
【図２】
0004116242.tif 000003
【図３】
0004116242.tif 000004
【図４】
0004116242.tif 000005
【図５】
0004116242.tif 000006
【図６】
0004116242.tif 000007
【図７】
0004116242.tif 000008
【図８】
0004116242.tif 000009
【図９】
0004116242.tif 000010